(57)【要約】      （修正有）【課題】印刷を施したシートを折り曲げて団扇に成形した際の印刷のズレに伴う不具合の発生を防止し、広告媒体として使用する際のデザインの自由度の向上を図る団扇を提供する。【解決手段】１枚のシートから形成してなる団扇１に、団扇本体２と、この団扇本体２から一体に延伸する柄部３と、この柄部３の先端に境界折り曲げ線５を介して一体に形成され、中間折り曲げ線６を介して折り畳み重ね合わせた補強片４とを具備させるとともに、中間折り曲げ線６を介して内面側に重ね合わせて形成した補強片４を、境界折り曲げ線５を内面側に折り畳み前記柄部３及び前記団扇本体２の基端部に重ね合わせてなる構成を採用する。【選択図】図３
0003163107.tif 000002
【実用新案登録請求の範囲】
【請求項１】
１枚のシートから形成してなる団扇であって、団扇本体と、この団扇本体から一体に延伸する柄部と、この柄部の先端に境界折り曲げ線を介して一体に形成され、中間折り曲げ線を介して折り畳み重ね合わせた補強片とを具備し、中間折り曲げ線を介して内面側に重ね合わせて形成した補強片を、境界折り曲げ線を内面側に折り畳み前記柄部及び前記団扇本体の基端部に重ね合わせてなることを特徴とする団扇。
【請求項２】
前記補強片に抜け止め突起を設けているとともに、団扇本体にこの抜け止め突起と係合させてなる切り込みを設けている請求項１記載の団扇。
【請求項３】
前記切り込みが、柄部の延伸方向に直交する方向に延びる水平部と、前記水平部の両端から前記水平部の延伸方向に対して傾斜を有する方向に延びる傾斜部とを有する請求項２記載の団扇。
【請求項４】
前記補強片のうち前記境界折り曲げ線に最も近い前記中間折り曲げ線と前記境界折り曲げ線との間の部分の長手寸法を、他の部分よりも大きくしている請求項１、２又は３記載の団扇。
【請求項５】
前記補強片のうち前記境界折り曲げ線に最も近い前記中間折り曲げ線と前記境界折り曲げ線との間の部分の幅寸法を、他の部分よりも大きくしている請求項１、２、３又は４記載の団扇。
【考案の詳細な説明】
【技術分野】
【０００１】
本考案は、１枚のシートから形成した団扇に関する。
【背景技術】
【０００２】
従来より、１枚のシートから形成した団扇が種々考えられてきている。このような団扇として、例えば、団扇本体と、この団扇本体から一体に延伸する柄部と、折り曲げ線を介して折り畳み柄部の両表面とそれぞれ重ね合わせてなる一対の補強片とを具備してなるものが挙げられる。このような団扇においては、柄部は前記一対の補強片間に収納され、各補強片の一表面が外部に露出する（例えば、特許文献１を参照）。
【０００３】
ところで、このような団扇においては、シートの少なくとも一部に予め印刷を施しておき、印刷を施した状態でシートを折り曲げて団扇に成形するようにし、印刷を施した部位が団扇としての使用時に外部に露出することにより広告媒体として使用することが考えられている。このような団扇において、団扇本体と柄部又は補強片とに跨る図柄を団扇としての使用時に表出させる態様が考えられる。
【０００４】
しかして、シートを折り曲げて前記特許文献１記載のもののような団扇に成形する際、折り曲げや印刷の精度によっては、団扇本体と補強片の外部に露出した部分との境界等においてズレが発生してしまうことがある。すなわち、１枚のシートに印刷を施し、このシートを折り曲げて団扇として使用するタイプのものにおいては、団扇として使用する際の外観を整え広告媒体としての価値を高めるためには、前述したようなズレが気にならないようなデザイン、例えば柄部又は補強片の表面を団扇本体と識別可能な単色のものとするデザインや、柄部又は補強片の表面の地色に団扇本体と異なる地色を採用するデザイン等を採用するほかないという不具合が存在する。
【先行技術文献】
【特許文献】
【０００５】
【特許文献１】特開２００３−９３１２４号公報
【考案の概要】
【考案が解決しようとする課題】
【０００６】
本考案は、このような課題を解決すべく、印刷を施したシートを折り曲げてこのような団扇に成形した際における印刷のズレに伴う不具合の発生を防止し、団扇を広告媒体として使用する際のデザインの自由度の向上を図ることを目的とする。
【課題を解決するための手段】
【０００７】
すなわち本考案に係る団扇は、１枚のシートから形成してなる団扇であって、団扇本体と、この団扇本体から一体に延伸する柄部と、この柄部の先端に境界折り曲げ線を介して一体に形成され、中間折り曲げ線を介して折り畳み重ね合わせた補強片とを具備し、中間折り曲げ線を介して内面側に重ね合わせて形成した補強片を、境界折り曲げ線を内面側に折り畳み前記柄部及び前記団扇本体の基端部に重ね合わせてなることを特徴とする。
【０００８】
このようなものであれば、団扇本体の外面と柄部の外面とは、同一のシートの連続した部位を利用して形成される。このとき、団扇本体の外面と柄部の外面とに予めこれら双方に跨る図柄の印刷を施すと、団扇としての使用時にこれら団扇本体及び柄部の外面がそのまま表出するので、これらの境界における印刷のズレは発生しなくなる。従って、このような団扇を広告媒体として使用する際のデザインの自由度の向上を図ることができる。
【０００９】
ここで、団扇としての使用時における補強片の団扇本体に対する取付強度を確保するためには、前記補強片に抜け止め突起を設けているとともに、団扇本体にこの抜け止め突起と係合させてなる切り込みを設けているものが望ましい。
【００１０】
特に、前記切り込みが、柄部の延伸方向に直交する方向に延びる水平部と、前記水平部の両端から前記水平部の延伸方向に対して傾斜を有する方向に延びる傾斜部とを有するものであれば、この切り込みに抜け止め突起を差し込んだ状態で、前記切り込みの傾斜部間の部位と抜け止め突起とがそれぞれ相寄る方向に作用を受けるよう弾性変形するので、補強片の団扇本体に対する取付強度を効果的に増すことができる。
【００１１】
また、このような団扇の柄部の外観を整えるためには、前記補強片のうち前記境界折り曲げ線に最も近い前記中間折り曲げ線と前記境界折り曲げ線との間の部分の長手寸法を他の部分よりも大きくしているものや、前記補強片のうち前記境界折り曲げ線に最も近い前記中間折り曲げ線と前記境界折り曲げ線との間の部分の幅寸法を他の部分よりも大きくしているものが望ましい。これらのようなものであれば、前記境界折り曲げ線に最も近い前記中間折り曲げ線と前記境界折り曲げ線との間の部分は団扇としての使用時に外部に露出し、その他の部分は前記部分と柄部との間に収納されることから、補強片のその他の部分が外方にはみ出すことを抑制できるからである。なお、「前記境界折り曲げ線に最も近い前記中間折り曲げ線」は、中間折り曲げ線が１つのみである場合にはその中間折り曲げ線を示す。
【考案の効果】
【００１２】
本考案の構成によれば、印刷を施したシートを折り曲げて団扇に成形した際に、印刷のズレに伴う不具合の発生を防止できる。従って、団扇を広告媒体として使用する際のデザインの自由度の向上を図ることができる。
【図面の簡単な説明】
【００１３】
【図１】本考案の一実施形態に係る団扇を示す正面図。
【図２】同実施形態に係る団扇を示す背面図。
【図３】図２におけるＡ−Ａ断面図。
【図４】同実施形態に係る団扇を形成するためのシートを示す図。
【図５】同実施形態に係る団扇の組立態様を説明するための図。
【図６】図５におけるＢ−Ｂ断面図。
【図７】本考案の他の実施形態に係る団扇を形成するためのシートを示す図。
【考案を実施するための形態】
【００１４】
本考案の一実施形態を、図１〜図６を参照しつつ説明する。
【００１５】
本実施形態に係る団扇１は、１枚のシートＳを折り曲げて形成したものであって、図１及び図２に示すように、団扇本体２と、この団扇本体２から一体に延伸する柄部３と、この柄部３の先端に境界折り曲げ線５を介して一体に形成され、中間折り曲げ線６を介して折り畳み重ね合わせた補強片４とを具備する。
【００１６】
前記団扇本体２は、両表面にそれぞれ文字や図柄等を印刷することにより広告媒体としての機能を果たす。また、少なくとも外面２ａ側においては、この図柄の一部は、前記柄部３に跨る。
【００１７】
前記柄部３は、上述したように前記団扇本体２から一体に延伸する。また、この柄部３の先端側には、境界折り曲げ線５を介して補強片４が隣接している。
【００１８】
前記補強片４は、前記境界折り曲げ線５を介して前記柄部３に隣接する第１の補強要素４ａと、この第１の補強要素４ａの先端側に中間折り曲げ線６を介して隣接する第２の補強要素４ｂとを備えている。これら第１及び第２の補強要素４ａ、４ｂは、中間折り曲げ線６を団扇本体２及び柄部３の内面２ｂ、３ｂ側に折り曲げることにより重なり合う。前記第１の補強要素４ａの長手寸法ｄ１は、前記第２の補強要素４ｂの長手寸法ｄ２よりも大きくしている。また、第１の補強要素４ａの先端近傍には、団扇１としての使用時に団扇本体２の基端部に力が掛かり団扇本体２の基端部が損傷する不具合の発生を防ぐべく、団扇本体２の基端部と重なり合う基端補強部４ａ１を設けている。加えて、第１の補強要素４ａの先端には、中間折り曲げ線６を団扇本体２及び柄部３の内面２ｂ、３ｂ側に折り曲げた際に突出する抜け止め突起４ｃを設けている。この抜け止め突起４ｃは、団扇本体２に設けた切り込み２ｘと係合させることにより、この補強片４が団扇本体２から離脱するのを防ぐ機能を有する。この抜け止め突起４ｃの左右両端部には、円弧状に面取りを施している。一方、前記切り込み２ｘは、左右方向に延びる水平部２ｘ１と、この水平部２ｘ１の左右両端からそれぞれ前記柄部３から離間する斜め方向に延びる傾斜部２ｘ２とを有する。
【００１９】
ここで、この団扇１の組立は以下のようにして行う。
【００２０】
まず、中間折り曲げ線６を団扇本体２及び柄部３の内面２ｂ、３ｂ側に折り曲げ、図５及び図６に示すように、第１の補強要素４ａと第２の補強要素４ｂとを重ね合わせる。ここで、団扇本体２及び柄部３の内面２ｂ、３ｂ側から見た場合に、補強片４の全体が境界折り曲げ線５を介して柄部３と隣接した状態となっている。また、第１の補強要素４ａの先端からは、抜け止め突起４ｃが突出した状態となっている。なお、図６において、団扇本体２の切り込み２ｘの開口幅は、わかりやすくするために実際より大きく描いている。
【００２１】
次いで、境界折り曲げ線５に沿って補強片４を団扇本体２及び柄部３の内面２ｂ、３ｂ側に折り曲げる。この折り曲げ操作の方向は、先の折り曲げ操作と同じ方向、換言すれば第１の補強要素４ａを柄部３と厚さ方向に隣接させる方向に行う。この操作を行うことにより、前記抜け止め突起４ｃは団扇本体２の切り込み２ｘに対向する位置に配される。
【００２２】
そして、前記抜け止め突起４ｃと団扇本体２の切り込み２ｘとを係合させることにより、団扇１として使用可能な状態となる。このとき、前記抜け止め突起４ｃと前記団扇本体２の切り込み２ｘの傾斜部２ｘ２間の部位とがそれぞれ弾性変形し、弾性力によりこれらがそれぞれ相寄る方向に作用を受ける。
【００２３】
以上に述べたように、本実施形態の構成によれば、中間折り曲げ線６を介して内面側に重ね合わせて形成した補強片４を、境界折り曲げ線５を内面側に折り畳み前記柄部３及び前記団扇本体２の基端部に重ね合わせてなるので、同一のシートＳの連続した部位を利用して団扇本体２の外面２ａと柄部３の外面３ａとが形成される。すなわち、外面２ａ、３ａ側に予め団扇本体２と柄部３とに跨る図柄の印刷を施すと、団扇１としての使用時にこの外面２ａ、３ａがそのまま表出する。従って、このような団扇１を広告媒体として使用する際のデザインの自由度の向上を図ることができる。
【００２４】
また、前記補強片４、より具体的には第２の補強要素４ｂの先端に抜け止め突起４ｃを設けているとともに、団扇本体２にこの抜け止め突起４ｃと係合させてなる切り込み２ｘを設けているので、団扇１としての使用時における補強要素の団扇本体２に対する取付強度を確保できる。
【００２５】
さらに、前記抜け止め片が、左右方向に延びる水平部２ｘ１と、この水平部２ｘ１の左右両端からそれぞれ前記柄部３から離間する斜め方向に延びる傾斜部２ｘ２とを有するので、この切り込み２ｘに抜け止め突起４ｃを差し込んだ状態で、上述したように、前記抜け止め突起４ｃと前記切り込み２ｘの傾斜部２ｘ２間の部位とがそれぞれ弾性変形し、弾性力によりこれらがそれぞれ相寄る方向に作用を受ける。従って前記補強片４の団扇本体２に対する取付強度を効果的に増すことができる。
【００２６】
そして、前記第１の補強要素４ａの長手寸法ｄ１を、前記第２の補強要素４ｂの長手寸法ｄ２よりも大きくしているので、団扇１としての使用状態において前記第２の補強要素４ｂの全体が前記柄部３と前記第１の補強要素４ａとの間に完全に収納され、前記第２の補強要素４ｂが外方にはみ出さないようにできる。従って、このような団扇１の外観を効果的に整えることができる。
【００２７】
なお、本考案は以上に述べた実施の形態に限らない。
【００２８】
例えば、上述した実施形態において、展開図を図７に示すように、第２の補強要素４ｂの幅寸法が、第１の補強要素４ａから遠ざかるにつれ小さくなる形状とするとなおよい。このようなものであれば、中間折り曲げ線６を折り曲げる際に折り曲げ方向がずれた場合であっても、団扇としての使用状態において第２の補強要素４ｂの全体を柄部３と第１の補強要素４ａとの間に収納できるからである。なお、図７において、上述した実施形態に対応する部位には、それぞれ上述した実施形態におけるものと同一の符号及び名称を付している。
【００２９】
その他、本考案の趣旨を損ねない範囲で種々に変更してよい。
【符号の説明】
【００３０】
１…団扇
２…団扇本体
２ｘ…切り込み
２ｘ１…水平部
２ｘ２…傾斜部
３…柄部
４…補強片
４ａ…第１の補強要素
４ｂ…第２の補強要素
４ｃ…抜け止め突起
５…境界折り曲げ線
６…中間折り曲げ線
【図１】
0003163107.tif 000003
【図２】
0003163107.tif 000004
【図３】
0003163107.tif 000005
【図４】
0003163107.tif 000006
【図５】
0003163107.tif 000007
【図６】
0003163107.tif 000008
【図７】
0003163107.tif 000009